(57)【要約】【課題】電子機器を用いて撮影を行うための台座に変形することが可能なカバーが提供される。【解決手段】互いに略平行な２つの辺を備えた外形を有する電子機器を覆うカバーであって、前記電子機器は、背面に、窓から外部の光を取得して写真を撮影する撮影部を備え、前記カバーは、前記背面の側を覆い、前記背面のうち少なくとも一部を保持可能に構成されるとともに、少なくとも一部が前記電子機器に対して回転可能である背面被覆部と、正面の側を覆い、前記背面被覆部と回転可能に接続される正面被覆部と、を備え、前記電子機器と前記正面被覆部とのなす角度のうち前記正面の側の角度が９０度未満の位置に配された状態で前記正面被覆部上に支持される状態を取りうるように構成され、前記背面被覆部は、前記状態において、前記背面に垂直な方向に前記窓を投影したときに重なる部分を避けて形成されている、カバー。【選択図】図４
2018025708.tif 000002
【特許請求の範囲】
【請求項１】
互いに略平行な２つの辺を備えた外形を有する板状の電子機器を覆うカバーであって、
前記電子機器は、一方の面である背面に、窓から外部の光を取得して写真を撮影することができる撮影部を備え、
前記カバーは、
前記電子機器における前記背面の側を覆い、前記背面のうち少なくとも一部を保持可能に構成されるとともに、前記２つの辺に略平行な方向を向いた軸を第１の回転軸として少なくとも一部が前記電子機器に対して回転可能である板状の背面被覆部と、
前記電子機器における前記背面とは反対方向である正面の側を覆い、前記背面被覆部と直接的または間接的に接続されているとともに、前記第１の回転軸と略平行な方向を向いた軸を第２の回転軸として回転可能に接続されている板状の正面被覆部と、を備え、
前記電子機器を挟んで前記背面の側に前記背面被覆部が位置するとともに前記正面の側に前記正面被覆部が位置することによって、前記背面被覆部と、前記正面被覆部と、前記電子機器とが略平行な状態である第１の状態と、
前記電子機器における前記２つの辺のうち一方の辺が前記正面被覆部に支持された状態であって、かつ、前記電子機器と前記正面被覆部とのなす角度のうち前記正面の側の角度が９０度未満の位置に配された状態で、前記一方の辺が前記正面被覆部上において支持される第２の状態と、を取りうるように構成され、
前記背面被覆部は、前記第２の状態において、少なくとも前記背面に垂直な方向に前記窓を投影したときに重なる部分を避けて前記背面の側を覆うよう形成されている、カバー。
【請求項２】
請求項１に記載のカバーであって、
前記背面被覆部のうち前記第１の回転軸から前記正面被覆部と接続している第１の側は、前記第１の回転軸を軸として回転可能であるとともに、前記背面被覆部のうち前記第１の側とは反対の側である第２の側は、前記電子機器に固定されており、
前記第２の側における前記背面被覆部は、前記第２の状態において、少なくとも前記背面に垂直な方向に前記窓を投影したときに重なる部分を避けて前記背面の側を覆うよう形成されている、カバー。
【請求項３】
互いに略平行な２つの辺を備えた外形を有する板状の電子機器を覆うカバーであって、
前記電子機器は、一方の面である背面に、窓から外部の光を取得して写真を撮影することができる撮影部を備え、
前記カバーは、
前記電子機器における前記背面の側を覆い、前記背面のうち少なくとも一部を保持可能に構成されるとともに、前記２つの辺に略平行な方向を向いた軸を第１の回転軸として少なくとも一部が前記電子機器に対して回転可能である板状の背面被覆部と、
前記電子機器における前記背面とは反対方向である正面の側を覆い、前記背面被覆部と直接的または間接的に接続されているとともに、前記第１の回転軸と略平行な方向を向いた軸を第２の回転軸として回転可能に接続されている板状の正面被覆部と、を備え、
前記電子機器を挟んで前記背面の側に前記背面被覆部が位置するとともに前記正面の側に前記正面被覆部が位置することによって、前記背面被覆部と、前記正面被覆部と、前記電子機器とが略平行な状態である第１の状態と、
前記電子機器における前記２つの辺のうち一方の辺が前記正面被覆部に支持された状態であって、かつ、前記電子機器と前記正面被覆部とのなす角度のうち前記正面の側の角度が９０度未満の位置に配された状態で、前記一方の辺が前記正面被覆部上において支持される第２の状態と、を取りうるように構成され、
前記背面被覆部は、前記第２の状態において、少なくとも前記背面に垂直な方向に前記窓を投影したときに重なる部分に前記背面被覆部が配置されていない位置に、前記窓が位置するように前記電子機器を移動可能に保持している、カバー。
【請求項４】
請求項１から３のいずれか一項に記載のカバーであって、
前記電子機器は、前記正面に、画像を表示することができる画像表示部を備え、
前記カバーは、さらに、
前記電子機器における前記２つの辺のうち前記一方の辺が前記正面被覆部に支持された状態であって、かつ、前記電子機器と前記正面被覆部とのなす角度のうち前記正面の側の角度が９０度を超える位置に配された状態で、前記一方の辺が前記正面被覆部上において支持される第３の状態を取りうるように構成される、カバー。
【請求項５】
請求項１から４のいずれか一項に記載のカバーであって、
前記正面被覆部は、前記背面被覆部と接続されている方向とは反対方向の端から突出した状態を取りうる板状の拡張部を有する、カバー。
【発明の詳細な説明】
【技術分野】
【０００１】
本発明は、電子機器を覆うカバーに関する。
【背景技術】
【０００２】
板状の電子機器を覆うカバーは、電子機器を摩擦および衝撃から保護する。カバーには、電子機器において一方の面に備えられたディスプレイの閲覧およびそのディスプレイの表示を用いた操作のために、ディスプレイを水平方向よりも上を向かせた状態で、その電子機器を保持する台座に変形するものがある（特許文献１）。
【先行技術文献】
【特許文献】
【０００３】
【特許文献１】実用新案登録第３１７８７５３号公報
【発明の概要】
【発明が解決しようとする課題】
【０００４】
板状の電子機器には、一方の面に備えられたディスプレイに加え、他方の面に撮影を行う撮影部を備えたものがある。このような電子機器を用いて撮影を行う際、カバーが撮影を行うための台座に変形することについては、考慮されていなかった。よって、電子機器を用いて撮影を行うには、撮影者が電子機器を手で持つ必要があった。このため、電子機器を用いて撮影を行うための台座に変形することが可能な技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、カバーが提供される。このカバーは、互いに略平行な２つの辺を備えた外形を有する板状の電子機器を覆うカバーであって、前記電子機器は、一方の面である背面に、窓から外部の光を取得して写真を撮影することができる撮影部を備え、前記カバーは、前記電子機器における前記背面の側を覆い、前記背面のうち少なくとも一部を保持可能に構成されるとともに、前記２つの辺に略平行な方向を向いた軸を第１の回転軸として少なくとも一部が前記電子機器に対して回転可能である板状の背面被覆部と、前記電子機器における前記背面とは反対方向である正面の側を覆い、前記背面被覆部と直接的または間接的に接続されているとともに、前記第１の回転軸と略平行な方向を向いた軸を第２の回転軸として回転可能に接続されている板状の正面被覆部と、を備え、前記電子機器を挟んで前記背面の側に前記背面被覆部が位置するとともに前記正面の側に前記正面被覆部が位置することによって、前記背面被覆部と、前記正面被覆部と、前記電子機器とが略平行な状態である第１の状態と、前記電子機器における前記２つの辺のうち一方の辺が前記正面被覆部に支持された状態であって、かつ、前記電子機器と前記正面被覆部とのなす角度のうち前記正面の側の角度が９０度未満の位置に配された状態で、前記一方の辺が前記正面被覆部上において支持される第２の状態と、を取りうるように構成され、前記背面被覆部は、前記第２の状態において、少なくとも前記背面に垂直な方向に前記窓を投影したときに重なる部分を避けて前記背面の側を覆うよう形成されている。この形態によれば、カバーが第２の状態であって正面被覆部が水平面と略平行な面上におかれているとき、カバーは、撮影部を水平方向よりも上に向かせた状態で電子機器を支持できる台座として機能できる。また、撮影部における窓が向いた方向を避けて背面被覆部が形成されていることから、カバーが第２の状態であるとき、電子機器は背面被覆部に妨げられることなく撮影をすることができる。すなわち、上記形態によれば、電子機器を用いて撮影を行うための台座に変形することが可能なカバーが提供される。このため、撮影者は、電子機器を置いた状態で撮影を行うことができる。また、カバーが第１の状態であるとき、電子機器における背面側は背面被覆部に覆われるとともに電子機器における正面側は正面被覆部に覆われることによって、電子機器を摩擦および衝撃から保護できる。
【０００７】
（２）上記形態におけるカバーにおいて、前記背面被覆部のうち前記第１の回転軸から前記正面被覆部と接続している第１の側は、前記第１の回転軸を軸として回転可能であるとともに、前記背面被覆部のうち前記第１の側とは反対の側である第２の側は、前記電子機器に固定されており、前記第２の側における前記背面被覆部は、前記第２の状態において、少なくとも前記背面に垂直な方向に前記窓を投影したときに重なる部分を避けて前記背面の側を覆うよう形成されていてもよい。この形態によれば、背面被覆部において回転可能な第１の側と電子機器とのなす角度によらず、背面被覆部において電子機器に固定されている第２の側と電子機器とのなす角度は変わらない。このため、第２の状態において電子機器の背面に垂直な方向に窓を投影したときに重なる部分を避けられるように背面被覆部を形成することを考慮した場合、背面被覆部全体が電子機器に対して回転可能な態様に比べて、背面被覆部のうち重なる部分を避けるための領域を小さく設定することができる。
【０００８】
（３）本発明の他の形態によれば、カバーが提供される。このカバーは、互いに略平行な２つの辺を備えた外形を有する板状の電子機器を覆うカバーであって、前記電子機器は、一方の面である背面に、窓から外部の光を取得して写真を撮影することができる撮影部を備え、前記カバーは、前記電子機器における前記背面の側を覆い、前記背面のうち少なくとも一部を保持可能に構成されるとともに、前記２つの辺に略平行な方向を向いた軸を第１の回転軸として少なくとも一部が前記電子機器に対して回転可能である板状の背面被覆部と、前記電子機器における前記背面とは反対方向である正面の側を覆い、前記背面被覆部と直接的または間接的に接続されているとともに、前記第１の回転軸と略平行な方向を向いた軸を第２の回転軸として回転可能に接続されている板状の正面被覆部と、を備え、前記電子機器を挟んで前記背面の側に前記背面被覆部が位置するとともに前記正面の側に前記正面被覆部が位置することによって、前記背面被覆部と、前記正面被覆部と、前記電子機器とが略平行な状態である第１の状態と、前記電子機器における前記２つの辺のうち一方の辺が前記正面被覆部に支持された状態であって、かつ、前記電子機器と前記正面被覆部とのなす角度のうち前記正面の側の角度が９０度未満の位置に配された状態で、前記一方の辺が前記正面被覆部上において支持される第２の状態と、を取りうるように構成され、前記背面被覆部は、前記第２の状態において、少なくとも前記背面に垂直な方向に前記窓を投影したときに重なる部分に前記背面被覆部が配置されていない位置に、前記窓が位置するように前記電子機器を移動可能に保持している。この形態によれば、カバーが第２の状態であって正面被覆部が水平面と略平行な面上におかれているとき、カバーは、撮影部を水平方向よりも上に向かせた状態で電子機器を支持できる台座として機能できる。また、背面に垂直な方向に撮影部における窓を投影したときに重なる部分に背面被覆部が配置されていない位置に、撮影部における窓を移動可能に電子機器を保持していることから、カバーが第２の状態であるとき、電子機器は背面被覆部に妨げられることなく撮影をすることができる。すなわち、上記形態によれば、電子機器を用いて撮影を行うための台座に変形することが可能なカバーが提供される。また、カバーが第１の状態であるとき、電子機器における背面側は背面被覆部に覆われるとともに電子機器における正面側は正面被覆部に覆われることによって、電子機器を摩擦および衝撃から保護できる。
【０００９】
（４）上記形態におけるカバーにおいて、前記電子機器は、前記正面に、画像を表示することができる画像表示部を備え、前記カバーは、さらに、前記電子機器における前記２つの辺のうち前記一方の辺が前記正面被覆部に支持された状態であって、かつ、前記電子機器と前記正面被覆部とのなす角度のうち前記正面の側の角度が９０度を超える位置に配された状態で、前記一方の辺が前記正面被覆部上において支持される第３の状態を取りうるように構成される。この形態によれば、カバーが第３の状態であって正面被覆部が水平面と略平行な面上に置かれているとき、カバーは、画像表示部を水平方向よりも上に向かせた状態で電子機器を保持できる台座として機能できる。すなわち、電子機器を用いて画像表示部を見るための台座に変形することが可能なカバーが提供される。
【００１０】
（５）上記形態におけるカバーにおいて、前記正面被覆部は、前記背面被覆部と接続されている方向とは反対方向の端から突出した状態を取りうる板状の拡張部を有してもよい。この形態によれば、カバーが第２の状態であって撮影者が正面被覆部を重力方向上側にしてカバーを持って撮影を行うとき、正面の側の日除けとして機能する正面被覆部の面積を拡張できる。このため、重力方向上側からの外来光が電子機器の正面に反射するのを防ぐことによって、撮影者が電子機器における正面を見やすくなる。
【００１１】
本発明の形態は、カバーに限るものではなく、例えば、カバーを備えた電子機器などの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１２】
【図１】電子機器を示す説明図である。
【図２】電子機器の背面側を示す説明図である。
【図３】カバーが電子機器に装着されている状態を示す説明図である。
【図４】第２の状態を取っているカバーを説明した説明図である。
【図５】第３の状態を取っているカバーを説明した説明図である。
【図６】第２の状態をとっているカバーについて、正面被覆部を重力方向上側にした状態を示した説明図である。
【図７】第２の状態を取っているカバーを説明した説明図である。
【図８】第２の状態を取っているカバーを説明した説明図である。
【図９】第２の状態を取っているカバーを説明した説明図である。
【図１０】第２の状態を取っているカバーを説明した説明図である。
【図１１】第２の状態を取っているカバーを説明した説明図である。
【発明を実施するための形態】
【００１３】
Ａ．第１実施形態：
図１は、第１実施形態におけるカバー２００が装着される電子機器１００を示す説明図である。図１には、相互に直交するＸＹＺ軸が図示されている。Ｘ軸は、電子機器１００の短手方向において右側面から左側面に向かう方向がプラスとなり、Ｙ軸は、電子機器１００の長手方向において下側面から上側面に向かう方向がプラスとなり、Ｚ軸は、電子機器１００の厚み方向において背面１３０から正面１１０に向かう方向がプラスとなる。図１のＸＹＺ軸は、他の図のＸＹＺ軸に対応する。
【００１４】
電子機器１００は、板状の部材であって、通話機能および撮影機能を有するいわゆるスマートフォンである。電子機器１００は、正面１１０と、側面１２０と、側面１２２と、側面１２４と、側面１２６と、背面１３０とを備える。
【００１５】
正面１１０は、ＸＹ平面に沿うとともにＺ軸方向の＋側を向いた面である。正面１１０は、画像を表示するとともにその画像上で利用者から指示の入力を受け付けるタッチパネル１１２を有する。タッチパネル１１２は、動画や静止画等のコンテンツを映すための画面としても使用できる。本実施形態では、タッチパネル１１２は、撮影を行う際、カメラ１３８が撮影する画面を映すとともに、撮影の実行を指示できるボタンを表示する。
【００１６】
側面１２０と、側面１２２と、側面１２４と、側面１２６とは、正面１１０と背面１３０との間を繋ぐ面である。側面１２０は、ＹＺ平面に沿うとともにＸ軸方向の＋側を向いた面である。側面１２２は、ＹＺ平面に沿うとともにＸ軸方向の−側を向いた面である。側面１２４は、ＸＺ平面に沿うとともにＹ軸方向の＋側を向いた面である。側面１２６は、ＸＺ平面に沿うとともにＹ軸方向の−側を向いた面である。
【００１７】
側面１２０と側面１２２とは略平行な２つの面である。側面１２４と側面１２６とは略平行な２つの面である。すなわち、電子機器１００は、互いに略平行な２つの面を２組（側面１２０と側面１２２、側面１２４と側面１２６）備えた外形を有する。尚、本実施形態における「略平行」とは、比較する２つの方向が向いた角度が、好ましくは５度のズレの範囲以内である。
【００１８】
図２は、電子機器１００の背面１３０側を示す説明図である。背面１３０は、ＸＹ平面に沿うとともにＺ軸方向の−側を向いた面である。背面１３０は、カメラ１３８を備える。カメラ１３８は、背面１３０のうち、Ｙ軸方向の＋側寄りであって、かつ、Ｘ軸方向の−側寄りに配置されている。カメラ１３８は、その窓から外部の光を取得して写真を撮影することができる。
【００１９】
図３は、第１実施形態におけるカバー２００が電子機器１００に装着されている状態を示す説明図である。カバー２００は、電子機器１００に装着することができるとともに電子機器１００を被覆できる部材である。カバー２００は、正面被覆部２１０と、薄厚部２１５と、接続部２２０と、薄厚部２２５と、背面被覆部２３０とを備える。
【００２０】
正面被覆部２１０は、板状の部材であって、電子機器１００における正面１１０を覆うことができる。正面被覆部２１０は、接続部２２０に対して、回転軸２１５Ｓを軸として回転可能に接続されている。また、正面被覆部２１０は、接続部２２０を介して、間接的に背面被覆部２３０と接続されている。
【００２１】
薄厚部２１５は、正面被覆部２１０と接続部２２０とが接続している部分であって、正面被覆部２１０および接続部２２０と比べて厚さが薄く形成されていることによって、接続部２２０に対して正面被覆部２１０を回転可能に接続している。薄厚部２１５は、回転軸２１５Ｓを有する。回転軸２１５Ｓは、Ｙ軸方向に伸びた軸であって、接続部２２０に対して回転可能に接続された正面被覆部２１０の回転軸である。
【００２２】
接続部２２０は、板状の部材であって、電子機器１００における側面１２０の側を覆うことができる。接続部２２０は、正面被覆部２１０と背面被覆部２３０とを接続している。接続部２２０と接続している背面被覆部２３０の部分は、第１の部分２３４である。第１の部分２３４は、接続部２２０に対して、回転軸２２５Ｓを軸として回転可能に接続されている。
【００２３】
薄厚部２２５は、接続部２２０と第１の部分２３４とが接続している部分であって、接続部２２０および第１の部分２３４と比べて厚さが薄く形成されていることによって、接続部２２０に対して第１の部分２３４を回転可能に接続している。薄厚部２２５は、回転軸２２５Ｓを有する。回転軸２２５Ｓは、Ｙ軸方向に伸びた軸であって、接続部２２０に対して回転可能に接続された第１の部分２３４の回転軸である。
【００２４】
背面被覆部２３０は、板状の部材であって、電子機器１００における背面１３０を覆うことができるとともに、電子機器１００における背面１３０の一部を保持可能に構成されている。本実施形態では、背面被覆部２３０は、背面１３０のＸ軸方向の−側寄りの部分を保持可能に構成されている。背面被覆部２３０は、第１の部分２３４と、薄厚部２３５と、第２の部分２３６とを備える。
【００２５】
第１の部分２３４は、背面被覆部２３０のうちＸ軸方向の＋側における部分であって、背面被覆部２３０のうち接続部２２０と接続している部分である。第１の部分２３４は、接続部２２０と接続している部分とは反対側において、第２の部分２３６に対して、回転軸２３５Ｓを軸として回転可能に接続している。
【００２６】
薄厚部２３５は、第１の部分２３４と第２の部分２３６とが接続している部分であって、第１の部分２３４および第２の部分２３６と比べて厚さが薄く形成されていることによって、第２の部分２３６に対して第１の部分２３４を回転可能に接続している。薄厚部２３５は、回転軸２３５Ｓを有する。回転軸２３５Ｓは、Ｙ軸方向に伸びた軸であって、第２の部分２３６に対して回転可能に接続された第１の部分２３４の回転軸である。
【００２７】
第２の部分２３６は、背面被覆部２３０のうちＸ軸方向の−側における部分であって、電子機器１００が固定される部分である。第２の部分２３６は、背面被覆部２３０において、背面１３０の一部を保持可能に構成されている部分である。本実施形態では、第２の部分２３６のうち電子機器１００の側を向いた面上に、電子機器１００を保持するための粘着部材（図示しない）が備えられている。第２の部分２３６は、貫通孔２３８を有する。
【００２８】
貫通孔２３８は、カバー２００が電子機器１００に装着されている状態において、カメラ１３８と向き合う部分に配される。貫通孔２３８は、Ｚ軸方向にカメラ１３８の窓を投影したときに重なる部分を避けて形成された孔である。本実施形態では、貫通孔２３８は、カメラ１３８の窓を投影したときに重なる部分だけでなく、カメラ１３８が撮影するときに発光する発光部（図示しない）および発光部の照射範囲を避けて形成された孔である。
【００２９】
図３では、カバー２００は、電子機器１００を挟んで背面１３０の側に背面被覆部２３０が位置させるとともに正面１１０の側に正面被覆部２１０が位置させることによって、背面被覆部２３０と、正面被覆部２１０と、電子機器１００とが略平行な状態になっている。この状態を、第１の状態とする。
【００３０】
図４は、第２の状態を取っているカバー２００を説明した説明図である。図４では、カバー２００における正面被覆部２１０は、水平面と略平行な面上に置かれている。カバー２００は、電子機器１００における側面１２０が正面被覆部２１０に支持されて側面１２２が正面被覆部２１０に支持されていない状態であって、かつ、電子機器１００と正面被覆部２１０とのなす角度のうち正面１１０の側の角度Ａが９０度未満の位置に配された状態で、側面１２０が正面被覆部２１０のＸ軸方向の−側を向いた面上において支持される状態になっている。この状態を、第２の状態とする。
【００３１】
本実施形態では、側面１２０は、正面被覆部２１０のＸ軸方向の−側を向いた面上に備えられた窪み部２１２に嵌まることによって支持される。また、９０度未満の範囲において角度Ａが調整できるよう、正面被覆部２１０のＸ軸方向の−側を向いた面上に、複数の窪み部２１２が備えられていてもよい。他の実施形態では、側面１２０は、正面被覆部２１０のＸ軸方向の−側を向いた面上に備えられた粘着部材によって支持されてもよい。
【００３２】
図５は、第３の状態を取っているカバー２００を説明した説明図である。図５では、カバー２００における正面被覆部２１０は、水平面と略平行な面上に置かれている。カバー２００は、電子機器１００における側面１２０が正面被覆部２１０に支持されて側面１２２が正面被覆部２１０に支持されていない状態であって、かつ、電子機器１００と正面被覆部２１０とのなす角度のうち正面１１０の側の角度Ａが９０度を超える位置に配された状態で、側面１２０が正面被覆部２１０のＸ軸方向の−側を向いた面上において支持される状態になっている。この状態を、第３の状態とする。本実施形態では、側面１２０は、正面被覆部２１０のＸ軸方向の−側を向いた面上に備えられた窪み部２１３に嵌まることによって支持される。
【００３３】
以上説明した実施形態によれば、カバー２００が第２の状態であって正面被覆部２１０が水平面と略平行な面上におかれているとき、カバー２００は、カメラ１３８を水平方向よりも上に向かせた状態で電子機器１００を支持できる台座として機能できる。また、カメラ１３８における窓が向いた方向を避けて貫通孔２３８が形成されていることから、カバー２００が第２の状態であるとき、電子機器１００は背面被覆部２３０に妨げられることなく撮影をすることができる。すなわち、電子機器１００を用いて撮影を行うための台座に変形することが可能なカバー２００が提供される。また、カバー２００が第１の状態であるとき、電子機器１００における背面１３０の側は背面被覆部２３０に覆われるとともに電子機器における正面１１０側は正面被覆部２１０に覆われることによって、電子機器１００を摩擦および衝撃から保護できる。
【００３４】
また、カバー２００が第３の状態であって正面被覆部２１０が水平面と略平行な面上に置かれているとき、カバー２００は、タッチパネル１１２を水平方向よりも上に向かせた状態で電子機器１００を保持できる台座として機能できる。すなわち、電子機器１００を用いて動画を映すための画面として機能するタッチパネル１１２を見るための台座に変形することが可能なカバー２００が提供される。
【００３５】
また、第１の部分２３４と電子機器１００とのなす角度によらず、第２の部分２３６と電子機器１００とのなす角度は変わらない。このため、第２の状態においてＺ軸方向にカメラ１３８の窓を投影したときに重なる部分を避けて背面被覆部２３０を形成することを考慮した場合、背面被覆部全体が電子機器に対して回転可能な形態に比べて、背面被覆部２３０のうち重なる部分を避けるための領域を小さく設定することができる。本実施形態では、背面被覆部２３０のうち重なる部分を避けるための領域とは、貫通孔２３８のことである。
【００３６】
本実施形態では、第２の部分２３６のうち電子機器１００の側を向いた面上に備えられた粘着部材（図示しない）によって、電子機器１００は保持されている。このため、電子機器１００と第２の部分２３６とは密着していることからも、第２の状態においてＺ軸方向にカメラ１３８の窓を投影したときに重なる部分を避けて背面被覆部２３０を形成する際に、背面被覆部２３０のうち重なる部分を避けるための領域を小さく設定することができる。
【００３７】
図６は、第２の状態をとっているカバー２００について、正面被覆部２１０を重力方向上側（電子機器１００における側面１２０も重力方向上側となる。図４を上下逆転させた状態。）にした状態を示した説明図である。撮影者が正面被覆部２１０を重力方向上側にしてカバー２００を持って撮影を行うとき、正面被覆部２１０は、画面として機能するタッチパネル１１２の日除けとして機能した状態で固定される。ここでいう日除けとは、重力方向上側からの外来光がタッチパネル１１２に反射するのを防ぐことによって、撮影者がタッチパネル１１２の画面を見やすくするということである。
【００３８】
撮影者が正面被覆部を重力方向上側にしてカバーを持って撮影を行うとき、正面被覆部が固定されず手で保持されていなければ正面被覆部が第１の状態の位置に移動しようとするカバーでは、正面被覆部を手で保持していないと正面被覆部が日除けとして利用できない。また、正面被覆部を手で保持していないと正面被覆部が第１の状態の位置に移動しようとするため、撮影者がタッチパネルを見ることを正面被覆部が妨げる場合がある。一方、本実施形態のカバー２００では、撮影者が正面被覆部２１０を重力方向上側にしてカバー２００を持って撮影を行うとき、正面被覆部を手で保持していなくても固定されて日除けとして機能するとともにタッチパネル１１２を見ることの妨げとならないため、カバー２００を片手で持って撮影できる。そのため、カバー２００を持たないもう一方の手で撮影対象とのコミュニケーションが取りやすい。また、屋外で撮影を行いながらタッチパネルを操作するような、いわゆる拡張現実（ＡＲ：Augmented Reality）を利用したアプリケーションにおいても操作性を向上することができる。
【００３９】
Ｂ．第２実施形態：
図７は、第２の状態を取っているカバー２００ａを説明した説明図である。カバー２００ａは、第１実施形態における背面被覆部２３０に代えて背面被覆部２３０ａを備える点と、保持部材３００を備える点を除き、第１実施形態におけるカバー２００と同様である。
【００４０】
背面被覆部２３０ａは、板状の部材であって、電子機器１００における背面１３０を覆うことができるとともに、電子機器１００における背面１３０の全体を保持可能に構成されている。背面被覆部２３０ａは、板状部材２３４ａを備える。
【００４１】
板状部材２３４ａは、背面被覆部２３０ａのうち接続部２２０と接続している部分である。板状部材２３４ａは、受入部２３７と、貫通孔２３８ａとを有する。受入部２３７は、板状部材２３４ａのＺ軸方向の＋側の面において、保持部材３００における板状部分３３０を受け入れるために窪んだ部分である。受入部２３７については、カバー２００ａに必須の構成ではない。貫通孔２３８ａは、Ｚ軸方向にカメラ１３８の窓を投影したときに重なる部分を避けて形成された孔である。
【００４２】
カバー２００ａは、保持部材３００を備える。カバー２００ａでは、背面被覆部２３０ａは、保持部材３００を介して、電子機器１００における背面１３０を保持できる。保持部材３００は、電子機器１００における背面１３０の全体を保持できる。保持部材３００は、背面１３０と、側面１２０と、側面１２２と、側面１２４におけるＸ軸方向の＋側の端部およびＸ軸方向の−側の端部と、側面１２６におけるＸ軸方向の＋側の端部およびＸ軸方向の−側の端部とを覆うことによって、電子機器１００における背面１３０の全体を保持できる。保持部材３００が覆っている電子機器１００の部分は、図５においてハッチングが付された部分で示してある。保持部材３００は、板状部分３３０と、貫通孔３３８と、軸部材３４０とを備える。
【００４３】
板状部分３３０は、保持部材３００が覆っている電子機器１００の部分のうち背面１３０を覆っている部分である。貫通孔３３８は、保持部材３００が電子機器１００に装着されている状態において、カメラ１３８と向き合う部分に配される。貫通孔３３８は、Ｚ軸方向にカメラ１３８の窓を投影したときに重なる部分を避けて形成された孔である。
【００４４】
軸部材３４０は、板状部分３３０のＸ軸方向の−側における端部に配され、Ｙ軸方向に伸びた軸である。軸部材３４０は、受入部２３７のＹ軸方向の＋側における端部に取り付けられていることによって、板状部材２３４ａに対して板状部分３３０を回転可能に接続している。軸部材３４０は、板状部材２３４ａに対して回転可能に接続された板状部分３３０の回転軸である。
【００４５】
板状部分３３０と板状部材２３４ａとのなす角度によってカメラ１３８の窓が向いている方向が変化する。このため、角度Ａが第２の状態である範囲内においては、貫通孔２３８ａは、Ｚ軸方向にカメラ１３８の窓を投影したときに重なる部分を避けるために、貫通孔３３８より大きく形成されている。
【００４６】
尚、カバー２００ａが第２の状態を取っているとき、電子機器１００における側面１２０は、保持部材３００を介して、正面被覆部２１０に支持されている。第１実施形態では、側面１２０は正面被覆部２１０に直接支持されていたが、本発明はこれに限られず、第２実施形態のように、側面１２０が正面被覆部２１０に間接的に支持されてもよい。
【００４７】
Ｃ．第３実施形態：
図８は、第２の状態を取っているカバー２００ｂを説明した説明図である。カバー２００ｂは、第２実施形態における背面被覆部２３０ａに代えて背面被覆部２３０ｂを備える点と、保持部材３００に代えて保持部材３００ｂを備える点とを除き、第２実施形態におけるカバー２００ａと同様である。
【００４８】
背面被覆部２３０ｂは、貫通孔を備えていない。保持部材３００ｂにおける軸部材３４０ｂは、背面被覆部２３０ｂに対して回転可能に接続された板状部分３３０の回転軸であるとともに、背面被覆部２３０ｂに対してＹ軸方向に摺動可能に接続されている。
【００４９】
カバー２００ｂにおける背面被覆部２３０ｂは、第２の状態において、Ｚ軸方向にカメラ１３８の窓を投影したときに重なる部分に背面被覆部２３０ｂが配置されていない位置に、カメラ１３８の窓が位置するように電子機器１００を移動可能に、保持部材３００ｂを介して、電子機器１００を保持している。
【００５０】
このため、カバー２００ｂが第２の状態であって正面被覆部２１０が水平面と略平行な面上におかれているとき、カバー２００ｂは、カメラ１３８を水平方向よりも上に向かせた状態で電子機器を支持できる台座として機能できる。また、Ｚ軸方向にカメラ１３８の窓を投影したときに重なる部分に背面被覆部２３０ｂが配置されていない位置に、カメラ１３８の窓を移動可能に電子機器１００を保持していることから、カバー２００ｂが第２の状態であるとき、電子機器１００は背面被覆部２３０ｂに妨げられることなく撮影をすることができる。すなわち、電子機器１００を用いて撮影を行うための台座に変形することが可能なカバーが提供される。
【００５１】
また、カバー２００ｂにおける背面被覆部２３０ｂは、第１の状態において、背面被覆部２３０ｂに垂直な方向から背面被覆部２３０ｂを投影したときに重なる部分から内側の位置に電子機器１００を移動可能に、保持部材３００ｂを介して、電子機器１００を保持している。このため、電子機器１００における背面１３０側は背面被覆部２３０ｂに覆われるとともに電子機器１００における正面１１０側は正面被覆部２１０に覆われることによって、カバー２００ｂは、電子機器１００を摩擦および衝撃から保護できる。
【００５２】
Ｄ．第４実施形態：
図９は、第２の状態を取っているカバー２００ｃを説明した説明図である。カバー２００ｃは、第１実施形態における背面被覆部２３０に代えて背面被覆部２３０ｃを備える点と、支持部材４００および回転軸４１５を備える点とを除き、第１実施形態におけるカバー２００と同様である。
【００５３】
背面被覆部２３０ｃは、電子機器１００の側を向いた面上に、電子機器１００を保持するための粘着部材（図示しない）が備えられていることによって、電子機器１００における背面１３０の全体を保持できる。
【００５４】
支持部材４００は、第２の状態において、電子機器１００からＹ軸方向の＋側と、電子機器１００からＹ軸方向の−側と、にそれぞれ１つずつ配されている、支持部材４００は、正面被覆部２１０と背面被覆部２３０ｃとの間を支持できる棒状部材である。
【００５５】
支持部材４００の一方の端部は、正面被覆部２１０と回転可能に接続している。回転軸４１５は、支持部材４００の一方の端部と正面被覆部２１０とが接続している部分に配され、Ｙ軸方向に伸びた軸である。回転軸４１５は、正面被覆部２１０に対して回転可能に接続された支持部材４００の回転軸である。
【００５６】
支持部材４００の他方の端部は、背面被覆部２３０ｃにおいて電子機器１００の側を向いた面上に備えられた窪み部２３２に一時的に嵌まることによって、正面被覆部２１０と背面被覆部２３０ｃとがなす角度を一定の角度に固定して支持できる。支持部材４００の他方の端部は、カバー２００ｃが第１の状態をとるときは、背面被覆部２３０ｃから離れて、正面被覆部２１０に近づく方向に回転することによって、背面被覆部２３０と正面被覆部２１０との間に配される。他の実施形態では、支持部材４００は、一方の端部が背面被覆部２３０ｃと回転可能に接続し、他方の端部が正面被覆部２１０に一時的に嵌まってもよい。
【００５７】
Ｅ．第５実施形態：
図１０は、第２の状態を取っているカバー２００ｄを説明した説明図である。カバー２００ｄの正面被覆部２１０が拡張部２１０ｄを有している点を除き、第１実施形態におけるカバー２００と同様である。
【００５８】
カバー２００ｄの正面被覆部２１０は、拡張部２１０ｄを有する。拡張部２１０ｄは、正面被覆部２１０が背面被覆部２３０と接続されている方向とは反対方向の端から突出した突出状態と正面被覆部２１０内に収納された収納状態とを取りうる。拡張部２１０ｄは、矢印Ｄで示されている方向に摺動可能であることにより、突出状態と収納状態とを取りうる。
【００５９】
このため、カバー２００ｄが第２の状態であって撮影者が正面被覆部２１０を重力方向上側にしてカバー２００ｄを持って撮影を行うとき、正面１１０の側の日除けとして機能する正面被覆部２１０の面積を拡張部２１０ｄにより拡張できる。よって、重力方向上側からの外来光が電子機器１００におけるタッチパネル１１２に反射するのをより一層防ぐことができることから、撮影者が電子機器１００におけるタッチパネル１１２に映る画面を見やすくなる。
【００６０】
Ｆ．変形例：
第１実施形態では、正面被覆部２１０と背面被覆部２３０とは、接続部２２０を介して間接的に接続されていたが、本発明はこれに限られない。例えば、正面被覆部２１０と背面被覆部２３０とは、接続部２２０を介さず直接接続していてもよい。この場合、正面被覆部２１０と背面被覆部２３０とは、回転可能に接続され、その回転軸は、正面被覆部２１０と背面被覆部２３０とが接続している部分に配される。
【００６１】
第２実施形態（図７にて図示）のように、保持部材３００を介して電子機器１００における背面１３０の全体が保持されている形態の場合、第２の状態において、正面被覆部２１０のＸ軸方向の−側を向いた面上に配された磁石と、保持部材３００のうち側面１２０を覆っている部分に配された金属とが接触して固定されることによって、側面１２０が正面被覆部２１０のＸ軸方向の−側を向いた面上に支持されてもよい。保持部材３００のうち側面１２０を覆っている部分に配されるのは、磁石であってもよい。
【００６２】
第１実施形態では、Ｙ軸方向（電子機器１００の長手方向）を回転軸として可動するカバー２００であったが、本発明はこれに限られない。例えば、カバー２００は、Ｘ軸方向（電子機器１００の短手方向）を回転軸として可動するカバー２００であってもよい。換言すれば、第１実施形態のカバー２００が、電子機器１００に対して、いわゆる横開きであったとすれば、他の実施形態では、カバーは、電子機器１００に対して、いわゆる縦開きであってもよいということである。
【００６３】
第１実施形態では、カバー２００は、薄厚部２１５、薄厚部２２５および薄厚部２３５の厚さが薄く形成されていることによって、薄厚部が接続している一方の部材と他方の部材とを回転可能に接続していたが、本発明はこれに限られない。例えば、一方の部材と他方の部材との間に可撓性のある部材を配することによって、一方の部材と他方の部材とを回転可能に接続してもよい。
【００６４】
第２実施形態では、保持部材３００は、電子機器１００における背面１３０の全体を保持するものであったが、本発明はこれに限られない。例えば、保持部材３００は、電子機器１００における背面１３０の一部を保持するものであってもよい。このとき、貫通孔３３８は必須の構成ではなく、保持部材３００は、電子機器１００における背面１３０の一部であって、かつ、背面１３０のうちカメラ１３８が形成された位置を避けた部分を保持するものであってもよい。
【００６５】
第２実施形態では、保持部材３００は、軸部材３４０を介して、板状部材２３４ａに対して回転可能に接続されていたが、本発明はこれに限られない。例えば、保持部材３００は、軸部材３４０ではなく可撓性のある部材を介して、板状部材２３４ａに対して回転可能に接続されていてもよい。
【００６６】
第３実施形態では、軸部材３４０ｂが背面被覆部２３０ｂに対してＹ軸方向に摺動可能に接続されていることによって、電子機器１００は、第２の状態において、Ｚ軸方向にカメラ１３８の窓を投影したときに重なる部分に背面被覆部２３０ｂが配置されていない位置に、カメラ１３８の窓が位置するように移動可能であったが、本発明はこれに限られない。例えば、他の実施形態では、軸部材３４０ｂではなく可撓性のある部材を介して、保持部材３００ｂが背面被覆部２３０ｂに対して回転可能に接続されているとともに、保持部材３００ｂがＹ軸方向に移動可能な可動部をＺ軸方向の＋側に有し、その可動部に粘着部材を介して電子機器１００が保持されている形態であってもよい。この形態では、粘着部材を介して可動部に電子機器１００が保持されている状態において、可動部がＹ軸方向に移動することによって、Ｚ軸方向にカメラ１３８の窓を投影したときに重なる部分に背面被覆部２３０ｂが配置されていない位置に、カメラ１３８の窓が位置するように移動可能である。
【００６７】
第５実施形態では、拡張部２１０ｄは、矢印Ｄで示されている方向に摺動可能であることにより、突出状態と収納状態とを取りうるとしていたが、本発明はこれに限られない。例えば、拡張部２１０ｄは、背面被覆部２３０と接続されている方向とは反対方向の端に配されたＹ軸方向に伸びた回転軸を軸として回転可能であることにより、突出状態と収納状態とを取ってもよい。さらに、カバー２００ｄは、拡張部２１０ｄに加えて、Ｙ軸方向からの外来光がタッチパネル１１２に反射するのを防ぐ板部を有していてもよい。この場合、板部は、正面被覆部２１０に対して回転可能に（可撓性のある部材を介して）、正面被覆部２１０におけるＹ軸方向の端部にそれぞれ配されてもよい。その板部は、カバー２００ｄが第２の状態を取っているときはＸＺ平面に沿った位置に配されるとともに、カバー２００ｄが第１の状態を取っているときは背面被覆部２３０と正面被覆部２１０との間の位置に収納できるよう、正面被覆部２１０に対して回転可能に構成されていてもよい。
【００６８】
図１１は、他の実施形態におけるカバー２００ｅが、第２の状態を取っている様子を示した説明図である。第１実施形態では、カバー２００は、貫通孔２３８を有していたが、本発明はこれに限られない。例えば、カバー２００ｅのように、切欠部２３８ｅを有することによって、背面被覆部２３０が、カメラ１３８の窓をＺ軸方向に投影したときに重なる部分を避けて形成されていてもよい。切欠部は、図１１のように背面被覆部の角だけに限らず、カバーが装着される電子機器のカメラの位置に応じて、そのカメラと向かい合う位置における背面被覆部の部分を切り欠いた形状であれば、背面被覆部のうちいずれの場所であってもよい。
【００６９】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００７０】
１００…電子機器
１１０…正面
１１２…タッチパネル
１２０，１２２，１２４，１２６…側面
１３０…背面
１３８…カメラ
２００…カバー
２００ａ，２００ｂ，２００ｃ，２００ｄ…カバー
２１０…正面被覆部
２１２…窪み部
２１３…窪み部
２１５…薄厚部
２１５Ｓ，２２５Ｓ，２３５Ｓ…回転軸
２２０…接続部
２２５…薄厚部
２３０…背面被覆部
２３０ａ，２３０ｂ，２３０ｃ…背面被覆部
２３２…窪み部
２３４…第１の部分
２３４ａ…板状部材
２３５…薄厚部
２３６…第２の部分
２３７…受入部
２３８…貫通孔
２３８ａ…貫通孔
２３８ｄ…切欠部
３００…保持部材
３００ｂ…保持部材
３３０…板状部分
３３８…貫通孔
３４０…軸部材
３４０ｂ…軸部材
４００…支持部材
４１５…回転軸
Ａ…角度
【図１】
2018025708.tif 000003
【図２】
2018025708.tif 000004
【図３】
2018025708.tif 000005
【図４】
2018025708.tif 000006
【図５】
2018025708.tif 000007
【図６】
2018025708.tif 000008
【図７】
2018025708.tif 000009
【図８】
2018025708.tif 000010
【図９】
2018025708.tif 000011
【図１０】
2018025708.tif 000012
【図１１】
2018025708.tif 000013